(57)【特許請求の範囲】
【請求項１】
少なくとも１枚の合成樹脂製フィルムからなるシート又は合成樹脂製フィルムと金属製のフィルムとを交互に複数枚積層した積層シートをそれぞれ重ね合わせてその相互間に内容物の充填空間を形成する本体部分と、この本体部分の充填空間につながる通路を有する注出口とを備えたパウチであって、
前記注出口の通路内に、初期状態では重ね合わせになっているが、両端を相互接近させる押圧にてその相互間に開口を形成し該通路を押し広げて注出口を開放状態に保持する一対のチップが配置されており、
前記チップが押圧力の解除によって初期状態に復元する弾性部材よりなるものであると共に、当該チップは、２枚の弾性部材を単に重ね合わせたもの、２枚の弾性部材の一端をヒンジとして揺動可能に連結した構造のもの、又は２枚の弾性部材の両端をヒンジとして揺動可能に連結した構造のもの、のいずれかであり、かつ、
前記チップは、押圧力を付与して前記開口を形成したときの最大径のサイズが、前記内容物を詰め替えるべき容器の口部のサイズより小さく、かつ、前記押圧力を解除したときには当該チップの復元力に基づいて前記容器の口部に保持されるサイズに設定してある、ことを特徴とするパウチ。
【発明の詳細な説明】
【技術分野】
【０００１】
本発明は、合成樹脂フィルムあるいは合成樹脂フィルムと金属製フィルムを複数枚積層したシートによって構成されるパウチに関するもので、該パウチの注出口を開放したままにして効率的な詰め替えを行うとするものである。
【背景技術】
【０００２】
近年、シャンプーやリンス、液体石鹸、化粧料等を入れる容器としては、資源の有効活用を図る観点から、内容物の適量注出を可能としたディスペンサーを装着した据え置きタイプの大型容器が多用されてきており、内容物の詰め替え用の容器としてはパウチが広く使用されている。
【０００３】
パウチは、合成樹脂製フィルムからなる少なくとも１枚シートあるいは合成樹脂製フィルムと金属製フィルムを組み合わせた積層シートにて構成される袋状の容器であって、材料の使用量が少なくてすみ、しかも製造コストの削減を図ることができることから詰め替え容器としてはとくに優れた利点を有していた。
【０００４】
ところで、パウチの注出口はその本体部分と同様に肉厚が薄いため腰が弱く、通路の壁面同士がくっついてしまうこともあり、とくに粘度の比較的高い内容物にあっては内容物の詰め替えに時間がかかる不具合を残していた。
【０００５】
この点に関する改善を図った先行技術としては、注出口に、平板状で剛性をもち折り曲げ状態を維持する嵌合機構を設けたパウチが提案されている（例えば、特許文献１参照）。
【０００６】
【特許文献１】特開平１１−１５２１５３号公報
【０００７】
上記のパウチは、注出口を開放状態に保持することが可能で粘度の高い内容物であっても比較的効率よく注出することができるようになったが、構造の複雑な部材が必要であり組立工数もかかることから製造コストが上昇する不利があり、また、パウチの開封に際してもヒンジを折り曲げる操作が必要であって、使い勝手がよいとは言えないものであった。
【発明の開示】
【発明が解決しようとする課題】
【０００８】
本発明の課題は、構造の複雑化、製造にかかるコストの上昇を伴うことなしに注出口を開放状態に保持して効率よく内容物を詰め替えできる新規なパウチを提案するところにある。
【課題を解決するための手段】
【０００９】
本発明は、少なくとも１枚の合成樹脂製フィルムからなるシート又は合成樹脂製フィルムと金属製のフィルムとを交互に複数枚積層した積層シートをそれぞれ重ね合わせてその相互間に内容物の充填空間を形成する本体部分と、この本体部分の充填空間につながる通路を有する注出口とを備えたパウチであって、
前記注出口の通路内に、初期状態では重ね合わせになっているが、両端を相互接近させる押圧にてその相互間に開口を形成し該通路を押し広げて注出口を開放状態に保持する一対のチップが配置されており、
前記チップが押圧力の解除によって初期状態に復元する弾性部材よりなるものであると共に、当該チップは、２枚の弾性部材を単に重ね合わせたもの、２枚の弾性部材の一端をヒンジとして揺動可能に連結した構造のもの、又は２枚の弾性部材の両端をヒンジとして揺動可能に連結した構造のもの、のいずれかであり、かつ、
前記チップは、押圧力を付与して前記開口を形成したときの最大径のサイズが、前記内容物を詰め替えるべき容器の口部のサイズより小さく、かつ、前記押圧力を解除したときには当該チップの復元力に基づいて前記容器の口部に保持されるサイズに設定してある、ことを特徴とするパウチである。
【発明の効果】
【００１２】
重ね合わせになっている一対のチップを注出口の通路内に予め配置しておき、該チップの両端を相互に接近させる押圧にてその相互間に開口を形成するのみで注出口の通路はそれに伴って押し広げられる。
【００１３】
パウチの開封前においては注出口は偏平状態に維持されるので商品の箱詰めに際してスタック等を行うとき嵩張ることがなく、効率的な梱包が可能になる。
【発明を実施するための最良の形態】
【００１４】
以下、図面を用いて本発明をより具体的に説明する。
図１は本発明にしたがうパウチの実施の形態を示した外観斜視図である。
【００１５】
図１における１は容器の本体部分である。本体部分１は合成樹脂製フィルムのシート又はこれらを複数枚積層した積層シートあるいは合成樹脂製フィルムと金属製フィルムとを交互に複数枚積層した積層シートにて構成されるもので、これらのシートをその端部で重ね合わせ接合することでその相互間に内容物の充填空間を形成する。
【００１６】
また、２はラインＬに沿った引きちぎりによって切り離すことができる摘まみ片、３は摘まみ片２の引きちぎりによって開通させる注出口である。
【００１７】
４は図２に示すような重ね合わせ状態で注出口３の通路内に配置される一対のチップ（重ね合わせ面は接着はされていない）である。このチップ４は本体部分１よりも高い剛性を有するものであり、これを弾性部材として両端を相接近させる押圧によって図３に示すようにその相互間に開口４ａを形成することができるが、押圧力の解除によって初期姿勢に復元させることができるようになっている。
【００１８】
図４に示す如く、チップ４の容器本体１側に位置する下側領域（Ａ）は注出口３の通路３ａの壁面に接着剤（シール剤）等により強固に固定保持される一方、上側領域（Ｂ）は接着されておらず、摘まみ片２を引きちぎることで図５に示すようにチップ４の上側部分が露出する。
【００１９】
摘まみ片２を引きちぎった後、チップ４の両端を相互近接させる押圧にてその相互間に開口４ａを形成すると注出口３の通路３ａは図６に示すように押し広げられて開放状態に保持されることになり、これでもって詰め替えるべき内容物を短時間で注出することが可能となる。
【００２０】
チップ４のサイズ（チップ４を押圧して開口４ａを形成したときの最大径）を詰め替えるべき容器の口部のサイズよりも予め小さくしておき図７のように容器の口部に差し込むことができるようにしておくことも可能で、このとき、押圧力を解除するとチップ４の復元力で容器の口部にしっかりと保持される。
【００２１】
チップ４は図２に示したような２枚重ねのものを使用する以外に図８のような、一端をヒンジｈを介して揺動可能に連結した構造のものや両端をヒンジを介して連結したもの（図示せず）を適用することもできこの点については限定されない。
【産業上の利用可能性】
【００２４】
内容物を短時間で詰め替えられるパウチが提供できる。
【図面の簡単な説明】
【００２５】
【図１】本発明にしたがうパウチの外観斜視図である。
【図２】チップの外観を示した図である。
【図３】チップを押圧した状態の外観図である。
【図４】図１に示したパウチの正面図である。
【図５】図１に示したパウチの開封状態を示した図である。
【図６】内容物の詰め替え要領の説明図である。
【図７】内容物の詰め替え要領の説明図である。
【図８】チップの他の例を示した図である。
【符号の説明】
【００２６】
１  本体部分
２  摘まみ片
３  注出口
３ａ  通路
４  チップ
４ａ  開口
５  チップ
ｈ  ヒンジ
ｎ  Ｖノッチ
【図１】
0004514492.tif 000002
【図２】
0004514492.tif 000003
【図３】
0004514492.tif 000004
【図４】
0004514492.tif 000005
【図５】
0004514492.tif 000006
【図６】
0004514492.tif 000007
【図７】
0004514492.tif 000008
【図８】
0004514492.tif 000009